(57)【特許請求の範囲】
【請求項１】
短冊状のスケール（２）  の目盛（１）  に沿って移動自在なジョー（３）  が嵌装されており、このジョーと実質上一体の基準面（１３）、（１４）  がスケールの目盛（１）  と直角に設けられており、ジョーの上面にはスケールの目盛（１）  と対応する位置にバーニア目盛（６）  が設けられており、ジョーの下面には巻取軸（１６）をスケールの面に対し直角に設けた金属製巻尺（１８）のケース（１５）が固着されており、この巻尺（１８）はスケールの目盛（１）  と直交する方向に引出し可能に設けられている、けがき定規。
【請求項２】
直角アングル（１１）の一方壁面（１７）をジョーの下面に添設すると共に他方壁面（１３）をスケール（２）  の面直角方向に配置し、この直角アングルの内側コーナ部に金属製巻尺（１８）のケース（１５）を固着したことを特徴とする、請求項１記載のけがき定規。
【発明の詳細な説明】
【０００１】
【産業上の利用分野】
この発明は、被加工物にけがき線やポンチ孔（以下「目印」という）を描くときに用いる定規に関するものであり、特に長尺の被加工物に目印を描くときに好適な定規に関するものである。
【０００２】
【従来の技術】
従来から被加工物にけがき線を描く定規として各種のものが提唱されている。たとえば、図８に示すように板金製スケール２にその長手方向に沿って移動かつ位置決め可能なジョー３を設け、ジョーの対向辺３１、３１にスケール２の目盛１と対応するバーニア目盛６を設けたもの（実開昭６３−２００１０１号公報）や、図９に示すような、２つの金属製巻尺のケース１５ａ、１５ｂをそれぞれ巻尺１８ａ、１８ｂが互いに直角方向に引出し可能に結合したもの（実開平４−１１５００１号公報）がある。
【０００３】
【発明が解決しようとする課題】
しかし、前者はジョー３の端面を鋼板３２の一側辺３３に当てて、スケール２の先端辺に沿ってけがき針３８で線３４ａ、３４ｂ、３４ｃを描くものであり、けがき線３４ａ、３４ｂ、３４ｃが鋼板３２の一側辺３３から一定の距離Ｘにあるときは連続的に描けて便利であるが、被加工物が長尺で、端縁３５からけがき線Ｙ１  、Ｙ２  、Ｙ３  の距離が異なるときは、ジョーの位置を変えるか別のスケールを用いなければならず不便である。
【０００４】
また後者は、バスダクト３７のコーナー部を１回で寸法測定できて便利であるが、引き出した巻尺１８ａ、１８ｂが可撓性であるため、屈曲しやすくて安定せず、また図８に示すように被加工物に載置し、巻尺の先端辺に沿ってけがき線を正確に引くことが難しいという問題がある。
【０００５】
本発明は、長尺の被加工物にその端縁からの距離が異なる複数の目印を簡単な操作で描くことができるけがき定規を提供することを目的としている。
【０００６】
【課題を解決するための手段】
本発明のけがき定規は、短冊状のスケール２の目盛１に沿って移動自在なジョー３が嵌装されており、このジョーと実質上一体の基準面１３、１４がスケールの目盛１と直角に設けられており、ジョーの上面にはスケールの目盛１と対応する位置にバーニア目盛６が設けられており、ジョーの下面には巻取軸１６をスケールの面に対し直角に設けた金属製巻尺１８のケース１５が固着されており、この巻尺１８がスケールの目盛１と直交する方向に引出し可能に設けられていることを特徴とするものである。また、前記けがき定規において、直角アングル１１の一方端面１７をジョーの下面に添設すると共に他方壁面１３をスケール２の面直角方向に配置し、この直角アングルの内側コーナ部に金属製巻尺のケース１５を固着するのがよい。スケールの先端を直線形状としたり、スケールの端部にポンチ９やけがき針を装着する円孔７を設ける構造とすることができる。
【０００７】
【作用】
本発明のけがき定規で長尺の被加工物２２に目印２６ａ、２６ｂ、２６ｃを描くには、ジョー３からスケール２を一定距離Ｘだけ引き出して固定し、被加工物２２の端縁２４に巻尺１５のフック１９を引っ掛ける。次にスケール２を被加工物２２の上面に載せながらジョーと一体の基準面１３、１４を被加工物の側辺に当接させる。そしてジョー３を被加工物の側辺に沿って移動させ、巻尺１８の目盛が所望の値Ｙ１  、Ｙ２  、Ｙ３  になったときにスケール２の先端のけがき針やポンチでけがき線を引くか又はポンチを打つ。これにより、被加工物の側辺からの距離がＸで、端縁からの距離がＹ１  、Ｙ２  、Ｙ３  の異なる複数の目印２６ａ、２６ｂ、２６ｃを連続的に引くことができる。ジョー３に直角アングル１１を設けたものでは、被加工物の側面２５と上面２３との間に円弧面があっても、被加工物に正確な目印２６ａ、２６ｂ、２６ｃを描くことができる。
【０００８】
【実施例】
図２ないし図４は、本発明の第１実施例を示したものである。本実施例のけがき定規は、長手方向に目盛１を刻設した板金製スケール２とこのスケール２に摺動自在に装着されたジョー３とを備えている。ジョー３の側面にはスケール２を固定する摘み４が設けられている。ジョーの上面には開口５が設けられており、開口の一側辺にはスケールの目盛１と対応するバーニア目盛６が設けられている。スケール２の先端中央にはスケールの面直角方向の円孔７とこの円孔に先端が臨出した止めネジ８とが設けられている。通常円孔には止めネジ８で止着されたポンチ９ないしけがき針が挿通されている。なお、ジョー３の端面（スケールの挿入面）１４とスケール２とは面直角に配置されている。
【０００９】
ジョー３の下面には断面が逆Ｌ形の直角アングル１１の水平部１７が固着されており、直角アングルの立壁部１２の外面１３とジョー３の端面１４とは同一平面上にある（図３参照）。直角アングル１１の内側コーナ部には、金属製巻尺のケース１５がその巻取軸を直角アングルの水平部１７と直角に配置して固着されている。巻尺１８は直角アングルの立壁部１２の内面に沿って引出し可能である。巻尺１８の先端にはその裏面側に屈曲したフック１９が固着されている。図４に示すように直角アングルの立壁部の内側には、ポンチの円孔７の中心線と一致する指示線２１が刻設されている。なお、本実施例では直角アングルの内側面に指示線２１を設けたが、直角アングルの巻尺１８を引出す側の端縁を基準としてもよい（図２参照）。
【００１０】
図１は本発明のけがき定規の使用状態を示したものである。角パイプ２２の上面２３にその端縁２４からの距離がＹ１  、Ｙ２  、Ｙ３  で、側面２５からの距離がＸのポンチ孔２６ａ、２６ｂ、２６ｃを明けるには、ポンチ９の先端がジョーの端面１４、即ち直角アングルの立壁部の外面１３からの距離がＸとなるようにバーニア目盛を読みながらスケール２を摺動し、摘み４で固定する。
【００１１】
次に巻尺のフック１９を角パイプの端縁２４に引っ掛け、ポンチ９を角パイプの上面２３に当接させた状態で直角アングル１１を角パイプに沿って移動させる。指示線２１が巻尺１８の目盛Ｙ１  と一致したところでポンチ９を打撃してポンチ孔２６ａを明ける。同様にして指示線２１と巻尺の目盛Ｙ２  又はＹ３  とが一致したところでポンチ９を打撃してポンチ孔２６ｂ、２６ｃを明ける。
【００１２】
図５ないし図７は本発明の第２実施例を示したものである。本実施例のけがき定規は、直角アングルの水平部１７の上面にスケール２と同方向に延びる支持板４０を設けている。支持板の中央にはスケール２と平行な長孔４１が穿設されており、この長孔に水平部１７に立設されたネジ杆４２が挿通されている。支持板４０の一側辺は直角アングルに固着されたジョー３の側面に当接しており、支持板４０のネジ杆４２回りの回動が規制されている。ネジ杆の先端には蝶ネジ４３が螺着されており、蝶ネジ４３を締めて直角アングル１１に対する支持板４０の突出長さを固定する。支持板の突出部には２個のナット４４が固着されており、このナットに鉛直方向のネジ４６が螺合している。ネジの先端は支持板４０の下面から突出しており、この先端にボール４５が装着されている。このボール４５は角パイプ２２の上面に当接して直角アングル１１を移動自在に支持し、けがき定規の操作性を向上させる。スケール２の先端には、円孔７と同軸のガイド筒４７が固着されており、その外周面に止めネジ８が装着されている。ガイド筒４７はポンチ９の倒れを防止して、ポンチ孔２６ａ、２６ｂ、２６ｃの位置精度を高めている。
【００１３】
【発明の効果】
以上のように本発明のけがき定規によれば、工作物を加工する際に必要な目印を被加工物に簡単に設けることができる。特に長尺の被加工物にその端面からの距離が異なる複数の目印を設けるのに極めて便利である。
【図面の簡単な説明】
【図１】第１実施例のけがき定規および使用状態を示す斜視図
【図２】第１実施例のけがき定規の平面図
【図３】第１実施例のけがき定規の正面図
【図４】第１実施例のけがき定規の側面図
【図５】第２実施例のけがき定規の平面図
【図６】図５のＡ部断面図
【図７】第２実施例のけがき定規の側面図
【図８】第１従来例の斜視図
【図９】第２従来例の正面図
【符号の説明】
１  目盛
２  スケール
３  ジョー
６  バーニア目盛
１１    直角アングル
１５    金属製巻尺のケース
１６    巻取軸
１８    巻尺
２１    指示線
【図１】
0003554590.tif 000002
【図２】
0003554590.tif 000003
【図３】
0003554590.tif 000004
【図４】
0003554590.tif 000005
【図５】
0003554590.tif 000006
【図６】
0003554590.tif 000007
【図７】
0003554590.tif 000008
【図８】
0003554590.tif 000009
【図９】
0003554590.tif 000010